(57)【要約】【課題】各室外ユニットの運転状況などを勘案した台数制御を行う空気調和装置の制御装置、空気調和装置、空気調和装置の制御方法、及び空気調和装置の制御プログラムを提供することを目的とする。【解決手段】圧縮機で圧縮された冷媒を空気により冷却して凝縮液化させる空気熱交換器と、冷媒と水とで熱交換を行う水熱交換器と、を有する複数の室外ユニットと、該室外ユニットに対応して設けられ、水を各室外ユニットへそれぞれの目標流量にて送出する複数のポンプと、を備えた空気調和装置の制御装置５０であって、室外ユニットがデフロスト運転となったか否かを検知するデフロスト検知手段５１と、各室外ユニットのデフロスト運転頻度を計測するデフロスト頻度計測手段５２と、加熱運転において、各室外ユニットのデフロスト運転頻度に基づき各室外ユニットに対しそれぞれの目標流量を分配する加熱時目標流量分配手段５３と、を備える。【選択図】図３
2018204813.tif 000002
【特許請求の範囲】
【請求項１】
圧縮機で圧縮された冷媒を空気により冷却して凝縮液化させる空気熱交換器と、前記冷媒と水とで熱交換を行う水熱交換器と、を有する複数の室外ユニットと、該室外ユニットに対応して設けられ前記水を各前記室外ユニットへそれぞれの目標流量にて送出する複数のポンプと、を備えた空気調和装置の制御装置であって、
前記室外ユニットがデフロスト運転となったか否かを検知するデフロスト検知手段と、
各前記室外ユニットのデフロスト運転頻度を計測するデフロスト頻度計測手段と、
加熱運転において、各前記室外ユニットの前記デフロスト運転頻度に基づき各前記室外ユニットに対しそれぞれの前記目標流量を分配する加熱時目標流量分配手段と、
を備える空気調和装置の制御装置。
【請求項２】
前記加熱時目標流量分配手段は、前記デフロスト運転頻度が高い前記室外ユニットの前記目標流量を低減する請求項１に記載の空気調和装置の制御装置。
【請求項３】
前記加熱時目標流量分配手段は、前記デフロスト運転頻度が高い前記室外ユニットの前記目標流量の低減分だけ、前記デフロスト運転頻度が低い他の前記室外ユニットの前記目標流量を増加させる請求項２に記載の空気調和装置の制御装置。
【請求項４】
前記室外ユニットにおける第１パラメータを検知する第１パラメータ検知手段を備え、
前記加熱時目標流量分配手段は、前記空気調和装置の運転開始後、一の前記室外ユニットにおいて最初にデフロスト運転が開始された時に前記第１パラメータ検知手段が検知した各前記室外ユニットの前記第１パラメータの値に基づき、各前記室外ユニットに対し前記目標流量を分配する請求項１から請求項３のいずれか１項に記載の空気調和装置の制御装置。
【請求項５】
前記第１パラメータは、運転電流、ファン入力電流、蒸発温度、または圧縮機入口圧力のいずれかである請求項４に記載の空気調和装置の制御装置。
【請求項６】
前記加熱時目標流量分配手段は、前記第１パラメータが前記運転電流または前記ファン入力電流の場合、値が大きいほど前記目標流量の分配を低減し、前記第１パラメータが前記蒸発温度または前記圧縮機入口圧力の場合、値が小さいほど前記目標流量の分配を低減する請求項５に記載の空気調和装置の制御装置。
【請求項７】
前記室外ユニットにおける第２パラメータを検知する第２パラメータ検知手段と、
冷却運転において、前記第２パラメータ検知手段が検知した各前記室外ユニットの前記第２パラメータの値に基づき、各前記室外ユニットに対しそれぞれの前記目標流量を分配する冷却時目標流量分配手段と、
を備える請求項１から請求項６のいずれか１項に記載の空気調和装置の制御装置。
【請求項８】
前記冷却時目標流量分配手段は、前記第２パラメータの値が大きい前記室外ユニットの前記目標流量を低減する請求項７に記載の空気調和装置の制御装置。
【請求項９】
前記冷却時目標流量分配手段は、前記第２パラメータの値が大きい前記室外ユニットの前記目標流量の低減分だけ、前記第２パラメータの値が小さい他の前記室外ユニットの前記目標流量を増加させる請求項８に記載の空気調和装置の制御装置。
【請求項１０】
冷却運転において、前記第２パラメータ検知手段が検知した各前記室外ユニットの前記第２パラメータの値に基づき、各前記室外ユニットに備えられた各散水器の散水流量を分配する散水流量分配手段を備える請求項７から請求項９のいずれか１項に記載の空気調和装置の制御装置。
【請求項１１】
前記散水流量分配手段は、前記第２パラメータの値が大きい前記室外ユニットの前記散水器の前記散水流量を増加させる請求項１０に記載の空気調和装置の制御装置。
【請求項１２】
前記散水流量分配手段は、前記第２パラメータの値が大きい前記室外ユニットの前記散水器の前記散水流量の増加分だけ、前記第２パラメータの値が小さい他の前記室外ユニットの前記散水器の前記散水流量を低減させる請求項１１に記載の空気調和装置の制御装置。
【請求項１３】
前記第２パラメータは、前記室外ユニットに備えられた散水器の散水流量を制御する開閉弁の開頻度、圧縮機吐出圧力、外気温度、運転電流、または凝縮温度のいずれかである請求項７から請求項１２のいずれか１項に記載の空気調和装置の制御装置。
【請求項１４】
請求項１から請求項１３のいずれかに記載の空気調和装置の制御装置を備える空気調和装置。
【請求項１５】
圧縮機で圧縮された冷媒を空気により冷却して凝縮液化させる空気熱交換器と、前記冷媒と水とで熱交換を行う水熱交換器と、を有する複数の室外ユニットと、該室外ユニットに対応して設けられ前記水を各前記室外ユニットへそれぞれの目標流量にて送出する複数のポンプと、を備えた空気調和装置の制御方法であって、
前記室外ユニットがデフロスト運転となったか否かを検知するデフロスト検知工程と、
各前記室外ユニットのデフロスト運転頻度を計測するデフロスト頻度計測工程と、
加熱運転において、各前記室外ユニットの前記デフロスト運転頻度に基づき各前記室外ユニットに対しそれぞれの前記目標流量を分配する加熱時目標流量分配工程と、
を備える空気調和装置の制御方法。
【請求項１６】
圧縮機で圧縮された冷媒を空気により冷却して凝縮液化させる空気熱交換器と、前記冷媒と水とで熱交換を行う水熱交換器と、を有する複数の室外ユニットと、該室外ユニットに対応して設けられ前記水を各前記室外ユニットへそれぞれの目標流量にて送出する複数のポンプと、を備えた空気調和装置の制御プログラムであって、
前記室外ユニットがデフロスト運転となったか否かを検知するデフロスト検知ステップと、
各前記室外ユニットのデフロスト運転頻度を計測するデフロスト頻度計測ステップと、
加熱運転において、各前記室外ユニットの前記デフロスト運転頻度に基づき各前記室外ユニットに対しそれぞれの前記目標流量を分配する加熱時目標流量分配ステップと、
を備える空気調和装置の制御プログラム。
【発明の詳細な説明】
【技術分野】
【０００１】
本発明は、空気調和装置の制御装置、空気調和装置、空気調和装置の制御方法、及び空気調和装置の制御プログラムに関するものである。
【背景技術】
【０００２】
空気調和装置において複数台の室外ユニットを備える場合は、一般的に運転状況に応じて室外ユニットの台数制御が行われている。室外ユニットの台数制御は、例えば外部負荷の設定水温と室外ユニットへの還水の水温との差及び流量から必要能力を算出し、室外ユニットの能力との比により制御される。
このような台数制御の場合は、各室外ユニットが同一能力かつ同一効率で運転できることを前提としており、部分負荷となる場合は、各室外ユニットに指令される流量（能力）は均等に分配され、また室外ユニットを停止する場合は設置位置等によらず任意の室外ユニットが選択される。
そこで、設置位置等の設置環境を考慮した運転の実施や、各室外ユニットの効率を考慮した運転の実施が検討されている。例えば、特許文献１には、風向き及び風速等の風情報や室外ユニットの据付情報等に基づき室外ユニットの運転順序を決定することが開示されている。また、特許文献２には、デマンド指令を受けた時に各冷凍サイクルのサイクル状態を比較し、消費電力が一番大きくサイクル状態の悪い冷凍サイクルを停止させることが開示されている。
【先行技術文献】
【特許文献】
【０００３】
【特許文献１】特許第５９７２０１８号公報
【特許文献２】特開２００３−１８５２１８号公報
【発明の概要】
【発明が解決しようとする課題】
【０００４】
しかしながら、上記特許文献１に開示された発明では、風情報を得るため、新たに風向風速計を設置しなければならないという問題があった。風向風速計はその分コストがかかるとともに制御装置とやり取りを行うデータ量が増えることとなる。
また、室外ユニットの据え付け環境は、新たな建築物が立つ等により据え付け当初から変更になる可能性があるが、これに対応できないという問題があった。これにより、例えば風向き、風速、降雪量、日照条件等が変更になり、当初の据付情報は利用不可となる。さらに、試運転時に各室外ユニットの位置等を設定する必要があり、作業員による作業負担が必要とされる。
【０００５】
また、上記特許文献２に開示された発明では、最もサイクル状態の悪い冷凍サイクルを停止させるため、インバータにより圧縮機の周波数を増減させることができる冷凍サイクルに対し運転状況に即したきめ細かい制御となっていないという問題があった。また、発明者らは、インバータにより圧縮機の周波数を増減させることができる冷凍サイクルは、停止させるよりも、圧縮機の周波数を低下させ継続して運転した方が効率が良い、という知見を得た。
【０００６】
本発明は、このような事情に鑑みてなされたものであって、新たな機器の設置を必要とせず各室外ユニットの運転状況などを勘案した台数制御を行う空気調和装置の制御装置、空気調和装置、空気調和装置の制御方法、及び空気調和装置の制御プログラムを提供することを目的とする。
【課題を解決するための手段】
【０００７】
上記課題を解決するために、本発明の空気調和装置の制御装置、空気調和装置、空気調和装置の制御方法、及び空気調和装置の制御プログラムは以下の手段を採用する。
本発明の第一態様に係る制御装置は、圧縮機で圧縮された冷媒を空気により冷却して凝縮液化させる空気熱交換器と、前記冷媒と水とで熱交換を行う水熱交換器と、を有する複数の室外ユニットと、該室外ユニットに対応して設けられ前記水を各前記室外ユニットへそれぞれの目標流量にて送出する複数のポンプと、を備えた空気調和装置の制御装置であって、前記室外ユニットがデフロスト運転となったか否かを検知するデフロスト検知手段と、各前記室外ユニットのデフロスト運転頻度を計測するデフロスト頻度計測手段と、加熱運転において、各前記室外ユニットの前記デフロスト運転頻度に基づき各前記室外ユニットに対しそれぞれの前記目標流量を分配する加熱時目標流量分配手段と、を備える。
【０００８】
本態様によれば、加熱運転において、室外ユニットがデフロスト運転となったか否かを検知し、デフロスト運転の頻度を計測して、各室外ユニットのデフロスト運転頻度に基づき各室外ユニットの水の目標流量を分配し、これに基づき室外ユニットに対応する各ポンプを制御することから、例えば設置環境を起因としてデフロスト運転に入りやすい室外ユニットの負荷を減らすため、室外ユニットにおける着霜の進行を遅らせデフロスト運転頻度のばらつきを抑制することができる。これにより、デフロスト運転の頻度を平準化でき、全体のデフロスト回数が低減して効率の良い運転が可能となり、ＣＯＰ（成績係数）が上がり省エネルギー性を高めることができる。
室外ユニットの能力は、循環する水の（密度）×（流量）×（比熱）×（温度差）から求められることから、流量を変更することで能力を変更することができる。
【０００９】
上記第一態様では、前記加熱時目標流量分配手段は、前記デフロスト運転頻度が高い前記室外ユニットの前記目標流量を低減するとしてもよい。
【００１０】
本態様によれば、デフロスト運転頻度が高い室外ユニットの目標流量を低減することから、デフロスト運転に入りやすい室外ユニットの負荷を減らすことができる。これにより、デフロスト運転頻度が高い室外ユニットの着霜の進行を遅らせることが可能となる。
【００１１】
上記第一態様では、前記加熱時目標流量分配手段は、前記デフロスト運転頻度が高い前記室外ユニットの前記目標流量の低減分だけ、前記デフロスト運転頻度が低い他の前記室外ユニットの前記目標流量を増加させるとしてもよい。
【００１２】
本態様によれば、デフロスト運転頻度が高い室外ユニットの目標流量の低減分だけ、デフロスト運転頻度が低い他の室外ユニットの目標流量を増加させることから、室外ユニット全体の目標流量を変更することなく、デフロスト運転頻度のばらつきを抑制することができ、冷温水系統の水温変動を抑制することができる。全体のデフロスト回数が低減するとともに、デフロスト運転頻度が低い、すなわちＣＯＰの高い室外ユニットの流量を多くするため、効率の良い運転が可能となり、省エネルギー性を高めることができる。
【００１３】
上記第一態様では、前記室外ユニットにおける第１パラメータを検知する第１パラメータ検知手段を備え、前記加熱時目標流量分配手段は、前記空気調和装置の運転開始後、一の前記室外ユニットにおいて最初にデフロスト運転が開始された時に前記第１パラメータ検知手段が検知した各前記室外ユニットの前記第１パラメータの値に基づき、各前記室外ユニットに対し前記目標流量を分配するとしてもよい。
【００１４】
本態様によれば、空気調和装置の運転開始後、一の室外ユニットにおいて最初にデフロスト運転が開始された時に第１パラメータ検知手段が検知した各室外ユニットの第１パラメータの値に基づき、各室外ユニットに対し目標流量を分配することから、全ての室外ユニットがデフロスト運転となるのを待たずに、各室外ユニットのうち最初の室外ユニットがデフロスト運転を開始した時点で第１パラメータを用いて目標流量を分配することができる。これにより、実際の運転状況への対応をより早く行うことができ、デフロスト運転の頻度を減らし、デフロスト運転の頻度を平準化して効率の良い運転が可能となり、ＣＯＰ（成績係数）が上がり省エネルギー性を高めることができる。
【００１５】
上記第一態様では、前記第１パラメータは、運転電流、ファン入力電流、蒸発温度、または圧縮機入口圧力のいずれかであるとしてもよい。
【００１６】
本態様によれば、第１パラメータとして、運転電流、ファン入力電流、蒸発温度、または圧縮機入口圧力のいずれかを用いることから、いずれも既設のセンサにより取得可能な値であるため、新たな設備を必要とすることなくデフロスト運転の頻度の平準化を行うことができる。
【００１７】
上記第一態様では、前記加熱時目標流量分配手段は、前記第１パラメータが前記運転電流または前記ファン入力電流の場合、値が大きいほど前記目標流量の分配を低減し、前記第１パラメータが前記蒸発温度または前記圧縮機入口圧力の場合、値が小さいほど前記目標流量の分配を低減するとしてもよい。
【００１８】
上記第一態様では、前記室外ユニットにおける第２パラメータを検知する第２パラメータ検知手段と、冷却運転において、前記第２パラメータ検知手段が検知した各前記室外ユニットの前記第２パラメータの値に基づき、各前記室外ユニットに対しそれぞれの前記目標流量を分配する冷却時目標流量分配手段と、を備えるとしてもよい。
【００１９】
本態様によれば、冷却運転において、各室外ユニットの第２パラメータの値に基づき、各室外ユニットに対しそれぞれの目標流量を分配し、これに基づき室外ユニットに対応するポンプを制御することから、例えば設置環境を起因として第２パラメータの値にばらつきが生じている場合に効率の悪い室外ユニットの負荷を減らすため、室外ユニット全体の省エネルギー性を高めることができる。
【００２０】
上記第一態様では、前記冷却時目標流量分配手段は、前記第２パラメータの値が大きい前記室外ユニットの前記目標流量を低減するとしてもよい。
【００２１】
本態様によれば、第２パラメータの値が大きい室外ユニットの目標流量を低減することから、効率の悪い室外ユニットの負荷を減らすことができる。これにより、効率の悪い室外ユニットの稼働率を低減し、省エネルギー性を高めることが可能となる。
【００２２】
上記第一態様では、前記冷却時目標流量分配手段は、前記第２パラメータの値が大きい前記室外ユニットの前記目標流量の低減分だけ、前記第２パラメータの値が小さい他の前記室外ユニットの前記目標流量を増加させるとしてもよい。
【００２３】
本態様によれば、第２パラメータの値が大きい室外ユニットの目標流量の低減分だけ、第２パラメータの値が小さい他の室外ユニットの目標流量を増加させることから、室外ユニット全体の目標流量を変更することなく、効率のばらつきを抑制することができる。これにより、ＣＯＰの高い室外ユニットの流量を多くするため、効率の良い運転が可能となり、省エネルギー性を高めることができる。
【００２４】
上記第一態様では、冷却運転において、前記第２パラメータ検知手段が検知した各前記室外ユニットの前記第２パラメータの値に基づき、各前記室外ユニットに備えられた各散水器の散水流量を分配する散水流量分配手段を備えるとしてもよい。
【００２５】
本態様によれば、冷却運転において、各室外ユニットの第２パラメータの値に基づき、各室外ユニットに備えられた散水器の散水流量を分配することから、例えば設置環境を起因として第２パラメータの値にばらつきが生じている場合に効率の悪い室外ユニットの散水流量を増やすため、室外ユニット全体の省エネルギー性を高めることができる。
【００２６】
上記第一態様では、前記散水流量分配手段は、前記第２パラメータの値が大きい前記室外ユニットの前記散水器の前記散水流量を増加させるとしてもよい。
【００２７】
本態様によれば、第２パラメータの値が大きい室外ユニットの散水流量を増加させることから、効率の悪い室外ユニットの散水流量を増加することができる。これにより、効率の悪い室外ユニットの冷却を進行させ、省エネルギー性を高めることが可能となる。
【００２８】
上記第一態様では、前記散水流量分配手段は、前記第２パラメータの値が大きい前記室外ユニットの前記散水器の前記散水流量の増加分だけ、前記第２パラメータの値が小さい他の前記室外ユニットの前記散水器の前記散水流量を低減させるとしてもよい。
【００２９】
本態様によれば、第２パラメータの値が大きい室外ユニットの散水流量の増加分だけ、第２パラメータの値が小さい他の室外ユニットの散水流量を低減させることから、室外ユニット全体の散水流量を変更することなく、各室外ユニットの冷却度合のばらつきを抑制することができる。これにより、効率の良い運転が可能となり、省エネルギー性を高めることができる。
【００３０】
上記第一態様では、前記第２パラメータは、前記室外ユニットに備えられた散水器の散水流量を制御する開閉弁の開頻度、圧縮機吐出圧力、外気温度、運転電流、または凝縮温度のいずれかであるとしてもよい。
【００３１】
本態様によれば、第２パラメータとして、室外ユニットに備えられた散水器の散水流量を制御する開閉弁の開頻度、圧縮機吐出圧力、外気温度、運転電流、または凝縮温度のいずれかを用いることから、いずれも既設のセンサ等により取得可能な値であるため、新たな設備を必要とすることなく省エネルギー性を高めることができる。
【００３２】
本発明の第二態様に係る空気調和装置は、前述のいずれかに記載の空気調和装置の制御装置を備える。
【００３３】
本発明の第三態様に係る制御方法は、圧縮機で圧縮された冷媒を空気により冷却して凝縮液化させる空気熱交換器と、前記冷媒と水とで熱交換を行う水熱交換器と、を有する複数の室外ユニットと、該室外ユニットに対応して設けられ、前記水を各前記室外ユニットへそれぞれの目標流量にて送出する複数のポンプと、を備えた空気調和装置の制御方法であって、前記室外ユニットがデフロスト運転となったか否かを検知するデフロスト検知工程と、各前記室外ユニットのデフロスト運転頻度を計測するデフロスト頻度計測工程と、加熱運転において、各前記室外ユニットの前記デフロスト運転頻度に基づき各前記室外ユニットに対しそれぞれの前記目標流量を分配する加熱時目標流量分配工程と、を備える。
【００３４】
本発明の第四態様に係る制御プログラムは、圧縮機で圧縮された冷媒を空気により冷却して凝縮液化させる空気熱交換器と、前記冷媒と水とで熱交換を行う水熱交換器と、を有する複数の室外ユニットと、該室外ユニットに対応して設けられ、前記水を各前記室外ユニットへそれぞれの目標流量にて送出する複数のポンプと、を備えた空気調和装置の制御プログラムであって、前記室外ユニットがデフロスト運転となったか否かを検知するデフロスト検知ステップと、各前記室外ユニットのデフロスト運転頻度を計測するデフロスト頻度計測ステップと、加熱運転において、各前記室外ユニットの前記デフロスト運転頻度に基づき各前記室外ユニットに対しそれぞれの前記目標流量を分配する加熱時目標流量分配ステップと、を備える。
【発明の効果】
【００３５】
本発明によれば、各室内ユニットの運転状況に応じてそれぞれの目標流量を分配するので、効率の良い運転が可能となり、ＣＯＰが上がり省エネルギー性を高めることができる。
【図面の簡単な説明】
【００３６】
【図１】本発明の一実施形態に係る空気調和装置の冷媒系統を示した概略構成図である。
【図２】本発明の一実施形態に係る空気調和装置の冷却水系統を示した概略構成図である。
【図３】本発明の一実施形態に係る空気調和装置の制御装置を示したブロック図である。
【図４】本発明の一実施形態に係る空気調和装置の制御装置の加熱運転時の目標流量制御を示したフローチャートである。
【図５】本発明の一実施形態に係る空気調和装置の制御装置の加熱運転時の第１パラメータを用いた目標流量制御を示したフローチャートである。
【図６】本発明の一実施形態に係る空気調和装置の制御装置の冷却運転時の目標流量制御を示したフローチャートである。
【図７】本発明の一実施形態に係る空気調和装置の制御装置の冷却運転時の散水流量制御を示したフローチャートである。
【図８】本発明の一実施形態の変形例に係る空気調和装置の制御装置の目標流量制御を示したフローチャートである。
【発明を実施するための形態】
【００３７】
以下に、本発明に係る空気調和装置の制御装置、空気調和装置、空気調和装置の制御方法、及び空気調和装置の制御プログラムの一実施形態について、図面を参照して説明する。
以下、本発明の一実施形態について、図１乃至８を用いて説明する。
図１には、本実施形態に係る空気調和装置の冷媒系統の概略構成が示されている。
本実施形態に係る空気調和装置１は、複数台の室外ユニット１０と、室外ユニット１０に接続される水配管９０などからなる。室外ユニット１０は、例えば空冷チリングユニットであり、水配管９０を流れる水と熱交換することによって、冷水又は温水を生成できる。生成された冷水又は温水は、例えば外部負荷によって利用される。外部負荷にて水の設定温度が設定されると、空気調和装置１は、外部負荷から戻った還水を熱交換し、設定温度にて外部負荷へ送出する。
本実施形態に係る空気調和装置１は、並列に４台の室外ユニット１０が設置されている例を挙げているが、システムとして実現可能であれば室外ユニット１０の台数、また各室外ユニット１０の接続方法については問わない。
【００３８】
室外ユニット１０は、圧縮機３０と、四方弁５と、水熱交換器３５と、低圧膨張弁３７と、レシーバ３８と、高圧膨張弁３９と、空気熱交換器２０などとからなる。圧縮機３０と、四方弁５と、水熱交換器３５と、低圧膨張弁３７と、レシーバ３８と、高圧膨張弁３９と、空気熱交換器２０とは、冷媒配管によって結ばれ、冷媒回路を構成する。
室外ユニット１０には、外気温度を計測する外気温センサ（図示せず）が設けられている。
【００３９】
圧縮機３０は、インバータ制御された電動機３１によって回転駆動されている。
圧縮機３０には、圧縮機３０の運転電流を計測する電流センサ３３、圧縮機３０に吸入される冷媒の圧力である圧縮機入口圧力を計測する圧縮機入口圧力センサ３２、及び圧縮機３０から吐出される冷媒の圧力である圧縮機吐出圧力を計測する圧縮機吐出圧力センサ３４が設けられている。
【００４０】
水熱交換器３５には、水配管９０が挿入されており、これにより水熱交換器３５において得られる冷熱によって水配管９０内を流れる水が冷却されることにより、冷水が得られ、また水熱交換器３５において得られる熱によって水配管９０内を流れる水が加熱されることにより、温水が得られるようになっている。
水配管９０上の、水熱交換器３５の上流側には、水を室外ユニット１０へ送出するためのポンプ８０が設置されている。ポンプ８０は、各室内ユニット毎に設定された目標流量にて水を送出するように後述する制御装置５０により制御される。
本実施形態では、ポンプ８０は室外ユニット１０外部に設置されているが、室外ユニット１０の内部に設置されていてもよい。
【００４１】
空気熱交換器２０は、室外ユニット１０の上部空間に配置されている。空気熱交換器２０は、冷却運転時において外気との間で高温高圧冷媒を冷却して凝縮させ、加熱運転時において外気から吸熱することで液冷媒を蒸発させる。本実施形態では、空気熱交換器２０は、空気熱交換器２０ａ及び２０ｂを備えた構成としているが、１つでもよく、また３以上設けられていてもよい。
空気熱交換器２０の近傍には、空気熱交換器２０の温度を計測する温度センサ２５が設けられている。
【００４２】
一対の空気熱交換器２０ａ及び２０ｂの上方には、室外ファン２７が設けられている。室外ファン２７は、空気を上方へ送出することによって下方に設置された空気熱交換器２０ａ及び２０ｂへと空気を外部から誘引するものである。室外ファン２７は、電動モータ２８によって回転させられる。電動モータ２８は、制御装置５０によって駆動・停止が行なわれる。なお、電動モータ２８をインバータ制御とし、回転数を可変制御できるようにしても良い。あるいは、直流モータを採用して回転数制御を行うようにしても良い。
室外ファン２７には、室外ファン２７に入力されるファン入力電流（電流値）を計測するファン入力電流センサ２９が設けられている。
【００４３】
制御装置５０は、上述した電流センサ３３、圧縮機入口圧力センサ３２、圧縮機吐出圧力センサ３４、温度センサ２５及びファン入力電流センサ２９が計測した各計測値を取得する。また、各ポンプ８０が目標流量にて水を送出する制御等を行う。
制御装置５０は、例えば、ＣＰＵ（Central  Processing  Unit）、ＲＡＭ（Random  Access  Memory）、ＲＯＭ（Read  Only  Memory）、及びコンピュータ読み取り可能な記憶媒体等から構成されている。そして、各種機能を実現するための一連の処理は、一例として、プログラムの形式で記憶媒体等に記憶されており、このプログラムをＣＰＵがＲＡＭ等に読み出して、情報の加工・演算処理を実行することにより、各種機能が実現される。なお、プログラムは、ＲＯＭやその他の記憶媒体に予めインストールしておく形態や、コンピュータ読み取り可能な記憶媒体に記憶された状態で提供される形態、有線又は無線による通信手段を介して配信される形態等が適用されてもよい。コンピュータ読み取り可能な記憶媒体とは、磁気ディスク、光磁気ディスク、ＣＤ−ＲＯＭ、ＤＶＤ−ＲＯＭ、半導体メモリ等である。
【００４４】
図２には、本実施形態に係る空気調和装置の冷却水系統の概略構成が示されている。
図２に示されるように、空気熱交換器２０の側面には散水器７３が設けられている。散水器７３は、空気調和装置１の冷却運転時において凝縮器として用いられる空気熱交換器２０に、冷却水を散布することによって冷媒の凝縮圧力を低下させて性能を向上させる。
【００４５】
各散水器７３には多数の孔部が形成されており、各孔部から冷却水が側方に流出するようになっている。各孔部は、空気熱交換器２０のフィンのそれぞれに均等に冷却水が行き渡るように配列されている。
【００４６】
空気熱交換器２０に対して設けられた各散水器７３は、給水配管７１によって接続されている。給水配管７１は、例えば水道と接続されている。各室外ユニット１０内において、各散水器７３の上流側の給水配管７１上には電磁弁である開閉弁７０が設けられており、開閉弁７０は制御装置５０によって制御される。例えば、外気温度が上昇すると開閉弁７０は開とされ、空気熱交換器２０の表面に冷却水が散布される。
【００４７】
空気熱交換器２０の下方には、空気熱交換器２０に散布された冷却水を回収するための回収トレイ７５が設けられている。各回収トレイ７５によって回収された水は、返送配管７７を介して外部へ排出される。各回収トレイ７５によって回収された冷却水は、例えば貯水槽に貯めて散水用ポンプで送出することで室外ユニット１０内で循環させるとしてもよい。
【００４８】
ここで、室外ユニット１０において、加熱運転と冷却（又は除霜）運転とは、図１に示される四方弁５が切り替えられて、冷媒の流れ方向が変化することによって切り替わる。加熱運転時では、圧縮機３０から吐出された冷媒は、水熱交換器３５、低圧膨張弁３７、レシーバ３８、高圧膨張弁３９、空気熱交換器２０の順に流れる。水熱交換器３５が凝縮器として作用し、空気熱交換器２０が蒸発器として作用する。そして、水熱交換器３５で加熱された温水が水配管９０を介して次の室外ユニット１０又は外部へ供給される。
【００４９】
冷却（除霜）運転時では、圧縮機３０から吐出された冷媒は、空気熱交換器２０、高圧膨張弁３９、レシーバ３８、低圧膨張弁３７、水熱交換器３５の順に流れる。空気熱交換器２０が凝縮器として作用し、水熱交換器３５が蒸発器として作用する。そして、水熱交換器３５で冷却された冷水が水配管９０を介して次の室外ユニット１０又は外部へ供給される。
【００５０】
空気調和装置１全体として加熱運転している際、室外ユニット１０が加熱運転すると、空気熱交換器２０の表面に着霜が生じる場合がある。着想が生じると、空気熱交換器２０を凝縮器として作用させ、霜を溶かす除霜運転（デフロスト運転）を行う。しかし、水配管９０を流れる温水は、除霜運転をしている室外ユニット１０の水熱交換器３５によって冷却されるため、水配管９０を流れる水の温度が低下するおそれがある。
【００５１】
本実施形態では、複数の室外ユニット１０のデフロスト運転の頻度を計測し、デフロスト運転頻度に応じて、各室外ユニット１０のそれぞれの目標流量を分配する制御を行う。
【００５２】
本実施形態の空気調和装置１は、複数の室外ユニット１０などの制御を行う制御装置５０を有する。制御装置５０と各室外ユニット１０とは、例えば制御ケーブル（図示せず）によって接続され、制御信号が送受信される。
【００５３】
図３には、本実施形態に係る空気調和装置の制御装置がブロック図に示されている。
制御装置５０は、デフロスト検知部（デフロスト検知手段）５１と、デフロスト頻度計測部（デフロスト頻度計測手段）５２と、加熱時目標流量分配部（加熱時目標流量分配手段）５３と、冷却時目標流量分配部（冷却時目標流量分配手段）５４と、散水流量分配部（散水流量分配手段）５５と、第１パラメータ検知部（第１パラメータ検知手段）５６と、第２パラメータ検知部（第２パラメータ検知手段）５７とを備えている。制御装置５０は、各室外ユニット１０とは別に設けられてもよいし、いずれか１台の室外ユニット１０に設けられていてもよい。
【００５４】
デフロスト検知部５１は、各室外ユニット１０においてデフロスト運転が開始されたか否かを検知する。デフロスト運転は、四方弁５が切り替えられて、冷媒の流れ方向が変化することによって開始されることから、四方弁５の切り替えを検知することでデフロスト運転の開始が検知できる。
また、加熱運転を継続すると、空気熱交換器２０に着霜が生じるため、空気熱交換器２０の温度が低下する。したがって、室外ユニット１０がデフロスト運転開始直前の状態であるかどうかは、各室外ユニット１０の空気熱交換器２０の温度に基づいて判断可能である。
【００５５】
デフロスト頻度計測部５２は、各室外ユニット１０毎の所定の時間におけるデフロスト運転が行われた回数を計測し、デフロスト運転が行われた頻度を算出する。
例えば、冬期における風上側の室外ユニット１０は、降雪によって空気熱交換器２０に雪が付着して目詰まりが発生し着霜しやすく、また風上にあることで雪を内部に吸い込みやすい。これに対し、風下側の室外ユニット１０は風上側の室外ユニット１０が風雪を受けるため着霜が少ない。よって、風上側の室外ユニット１０のデフロスト運転頻度が高く、風下側の室外ユニット１０のデフロスト運転頻度は低いと考えられる。
【００５６】
加熱時目標流量分配部５３は、加熱運転において、デフロスト頻度計測部５２にて計測された各室外ユニット１０のデフロスト運転頻度に基づき、各室外ユニット１０に対しそれぞれの目標流量を分配する。
目標流量は、各室外ユニット１０が同一能力、同一効率で運転する場合はすべて同じ流量でよいが、上述したように設置環境等により各室外ユニット１０毎に運転効率が異なる場合は同じ目標流量とするとデフロスト運転頻度にばらつきが生じる。
そこで、本実施形態では、各室外ユニット１０のデフロスト運転頻度に基づき、デフロスト運転頻度が高い室外ユニット１０の目標流量を低減し、デフロスト運転頻度が低い他の室外ユニット１０の目標流量を増加させるものとする。この時、目標流量の低減分だけ他の室外ユニット１０の目標流量を増加させ、室外ユニット１０全体の目標流量を達成するように制御する。このように、実際のデフロスト運転頻度に基づき、フィードバック制御を行う。実際のデフロスト運転頻度に基づく制御であることから、誤った制御を行う確率を低くすることができる。
【００５７】
デフロスト運転頻度が高い室外ユニット１０の目標流量を低減するとは、該当室外ユニット１０の負荷を低負荷にするということである。低負荷にすることにより、空気熱交換器２０の蒸発温度を高め、空気から吸い込む熱の量を減らすことで着霜の進行を遅らせて着霜量を減少させる。
また、デフロスト運転頻度が高い室外ユニット１０において低減した水の流量の分だけデフロスト運転頻度が低い室外ユニット１０の目標流量を増加させるとは、該当室外ユニット１０の負荷を大きくすることである。デフロスト運転頻度が低いとはすなわち効率の良い運転が行われていることであるから、効率の良い室外ユニット１０に負荷をかけることでデフロスト運転頻度を平準化し、安定した運転が可能となる。また、全体の効率が上がり、省エネルギー性が高まる。
【００５８】
冷却時目標流量分配部５４は、冷却運転において、各室外ユニット１０における第２パラメータの値に基づき、各室外ユニット１０に対しそれぞれの目標流量を分配する。ここで、第２パラメータとは、各室外ユニット１０における散水器７３の散水流量を制御する開閉弁７０の開頻度、圧縮機吐出圧力センサ３４によって計測された圧縮機吐出圧力、外気温センサ（図示せず）によって計測された外気温度、電流センサ３３によって計測された圧縮機３０の運転電流、または温度センサ２５によって計測された空気熱交換器２０の凝縮温度のいずれかの値である。
本実施形態では、各室外ユニット１０の第２パラメータの値に基づき、第２パラメータの値が大きい室外ユニット１０の目標流量を低減し、第２パラメータの値が小さい他の室外ユニット１０の目標流量を増加させるものとする。この時、目標流量の低減分だけ他の室外ユニット１０の目標流量を増加させ、室外ユニット１０全体の目標流量を達成するように制御する。
【００５９】
例えば、複数の室外ユニット１０が集合設置されている場合、中央部に設置されている室外ユニット１０は、外部の新しい空気ではなく自ユニットまたは他のユニットから排出された空気を吸い込みやすいため内部に熱がこもりやすい。そのため、温度が上昇して効率が悪くなる。
これに対して、端に設置されている室外ユニット１０は、外部の新しい空気を吸い込むことができるとともに、放熱しやすい。よって、効率の良い運転が可能であり、能力を出すことができる。
そこで、第２パラメータとして設定された開閉弁７０の開頻度、圧縮機吐出圧力、外気温度、運転電流、または凝縮温度のいずれかの値に基づき、効率の悪い第２パラメータの値が大きい室外ユニット１０を低負荷にし、効率の良い第２パラメータの値が小さい室外ユニット１０に負荷をかける。
このような制御により、効率の悪い室外ユニット１０の稼働率を下げ、温度上昇を抑制する。
【００６０】
散水流量分配部５５は、冷却運転において、各室外ユニット１０における第２パラメータの値に基づき、各室外ユニット１０に対し各散水流量を分配する。
本実施形態では、各室外ユニット１０の第２パラメータの値に基づき、第２パラメータの値が大きい室外ユニット１０の散水流量を増加させ、第２パラメータの値が小さい他の室外ユニット１０の散水流量を低減させるものとする。この時、散水流量の増加分だけ他の室外ユニット１０の散水流量を低減させ、室外ユニット１０全体の散水流量を達成するように制御する。
このような制御により、効率の悪い室外ユニット１０の温度上昇を抑制する。
【００６１】
第１パラメータ検知部５６は、各室外ユニット１０の第１パラメータを検知する。ここで、第１パラメータとは、電流センサ３３によって計測された圧縮機３０の運転電流、ファン入力電流センサ２９によって計測されたファン入力電流、温度センサ２５によって計測された空気熱交換器２０の蒸発温度、または圧縮機入口圧力センサ３２によって計測された圧縮機入口圧力のいずれかの値である。
第２パラメータ検知部５７は、上述した各室外ユニット１０の第２パラメータを検知する。
【００６２】
〔加熱運転にてデフロスト運転頻度を用いる〕
次に、図４を参照して、本実施形態に係る空気調和装置１の制御装置５０の加熱運転時の目標流量制御について説明する。
加熱運転が開始されると、デフロスト検知部５１は、室外ユニット１０においてデフロスト運転が開始されたか否かを判定する（Ｓ４０１）。
デフロスト運転が開始されたと判定された場合は、ステップＳ４０２へ遷移する。一方、デフロスト運転が開始されていないと判定された場合は、再度デフロスト運転が開始されたか否かの判定を行うため、ステップＳ４０１へ戻る。
ステップＳ４０２において、デフロスト頻度計測部５２は、各室外ユニット１０のデフロスト運転頻度を取得し、ステップＳ４０３へ遷移する。
ステップＳ４０３において、デフロスト頻度計測部５２は、全ての室外ユニット１０がデフロスト運転を開始したか否かを判定する。全ての室外ユニット１０がデフロスト運転を開始したと判定された場合はステップＳ４０４へ遷移する。一方、１以上の室外ユニット１０がデフロスト運転を開始していないと判定された場合は、ステップＳ４０２へ戻り、全ての室外ユニット１０がデフロスト運転を開始するまで上記処理を繰り返す。
ステップＳ４０４において、加熱時目標流量分配部５３は、各室外ユニット１０のデフロスト運転頻度に基づきそれぞれの目標流量を分配する。
このような処理にてデフロスト運転頻度に基づき各室外ユニット１０のそれぞれの目標流量が分配され、デフロスト運転頻度が平準化される。
【００６３】
〔加熱運転にて第１パラメータを用いる〕
ここで、ステップＳ４０３にて判定されたように、全ての室外ユニット１０がデフロスト運転を開始するまでそれぞれの目標流量は分配されない。
そこで、いずれかの室外ユニット１０がデフロスト運転を開始した時点の各室外ユニット１０の各第１パラメータの値に基づきそれぞれの目標流量を分配する方法について検討する。上述したように、第１パラメータは、運転電流、ファン入力電流、蒸発温度、または圧縮機入口圧力のいずれかの値である。
加熱運転において、効率が悪くなると圧縮機３０の回転数が上がり、室外ファン２７の回転数が上がる。また、効率が悪いため空気熱交換器２０の蒸発温度は下がり、圧縮機入口圧力が下がる。
よって、運転電流またはファン入力電流は、その値が大きいほど効率が悪くなっているといえ、蒸発温度または圧縮機入口圧力は、その値が小さいほど効率が悪くなっているといえ、これらの値を用いてデフロスト運転頻度を補完し、これらの値に基づきそれぞれの目標流量を予測して分配することが可能である。
【００６４】
図５には、本実施形態に係る空気調和装置の制御装置の加熱運転時の第１パラメータを用いた目標流量制御がフローチャートに示されている。
加熱運転が開始されると、デフロスト検知部５１は、室外ユニット１０においてデフロスト運転が開始されたか否かを判定する（Ｓ５０１）。
デフロスト運転が開始されたと判定された場合は、ステップＳ５０２へ遷移する。一方、デフロスト運転が開始されていないと判定された場合は、再度いずれかの室外ユニット１０にてデフロスト運転が開始されたか否かの判定を行うため、ステップＳ５０１へ戻る。
ステップＳ５０２において、第１パラメータ検知部５６は、各室外ユニット１０の第１パラメータを取得し、ステップＳ５０３へ遷移する。
ステップＳ５０３において、加熱時目標流量分配部５３は、各室外ユニット１０の第１パラメータの値に基づきそれぞれの目標流量を分配する。上述したように、運転電流またはファン入力電流は、その値が大きいほど効率が悪くなっているといえ、蒸発温度または圧縮機入口圧力は、その値が小さいほど効率が悪くなっているといえることから、第１パラメータが運転電流またはファン入力電流の場合、値が大きいほど目標流量の分配を低減し、第１パラメータが蒸発温度または圧縮機入口圧力の場合、値が小さいほど目標流量の分配を低減する。
このような処理にていずれか１台の室外ユニット１０がデフロスト運転に入ることで第１パラメータの値に基づき各室外ユニット１０のそれぞれの目標流量が分配され、デフロスト運転頻度が平準化される。
【００６５】
〔冷却運転にて目標流量を分配する〕
次に、図６を参照して、本実施形態に係る空気調和装置１の制御装置５０の冷却運転時の目標流量制御について説明する。
まず、ステップＳ６０１において、空気調和装置１において冷却運転が行われているか否かの判定が行われる。空気調和装置１において冷却運転が行われていると判定された場合は、ステップＳ６０２へ遷移し、冷却運転が行われていないと判定された場合は、加熱運転であるとして図４のステップＳ４０１へ遷移する。
ステップＳ６０２において、第２パラメータ検知部５７は、各室外ユニット１０の第２パラメータを取得し、ステップＳ６０３へ遷移する。第２パラメータは、前述したように開閉弁７０の開頻度、圧縮機吐出圧力、外気温度、運転電流、または凝縮温度のいずれかの値である。
ステップＳ６０３において、冷却時目標流量分配部５４は、各室外ユニット１０の第２パラメータの値に基づきそれぞれの目標流量を分配する。前述したように、第２パラメータの値が大きい室外ユニット１０の目標流量を低減し、第２パラメータの値が小さい他の室外ユニット１０の目標流量を増加させるものとする。
このような処理にて第２パラメータの値に基づき各室外ユニット１０のそれぞれの目標流量が分配され、効率の悪い室外ユニット１０の稼働率が低減される。
【００６６】
〔冷却運転にて散水流量を分配する〕
次に、図７を参照して、本実施形態に係る空気調和装置１の制御装置５０の冷却運転時の散水流量制御について説明する。
まず、ステップＳ７０１において、空気調和装置１において冷却運転が行われているか否かの判定が行われる。空気調和装置１において冷却運転が行われていると判定された場合は、ステップＳ７０２へ遷移し、冷却運転が行われていないと判定された場合は、加熱運転であるとして図４のステップＳ４０１へ遷移する。
ステップＳ７０２において、第２パラメータ検知部５７は、各室外ユニット１０の第２パラメータを取得し、ステップＳ７０３へ遷移する。
ステップＳ７０３において、散水流量分配部５５は、各室外ユニット１０の第２パラメータの値に基づき各散水流量を分配する。上述したように、第２パラメータの値が大きい室外ユニット１０の散水流量を増加させ、第２パラメータの値が小さい他の室外ユニット１０の散水流量を低減させるものとする。
このような処理にて第２パラメータの値に基づき各室外ユニット１０の各散水流量が分配され、効率の悪い室外ユニット１０の温度上昇を抑制する。
【００６７】
〔変形例〕
上述した目標流量制御または散水流量制御においては、第１パラメータまたは第２パラメータの値に基づきそれぞれの目標流量または散水流量を制御するものとした。
本変形例では、各室外ユニットの第１パラメータまたは第２パラメータが、その平均値を上回るか、または下回るかによって目標流量または散水流量を所定量変更するものとする。本変形例においては、所定量は目標流量の２％を設定したが、この値については変更可能である。
図８には、本実施形態の変形例に係る空気調和装置の制御装置の目標流量制御がフローチャートに示されている。以下においては、第２パラメータを用いた目標流量制御を行う例について説明する。
まず、各室外ユニット１０の第２パラメータを取得する（Ｓ８０１）。
次に、各第２パラメータの平均値を算出する（Ｓ８０２）。
次に、当該室外ユニット１０の第２パラメータの値からその平均値を減じた値が０より大きいか否かを判定する（Ｓ８０３）。値が０より大きいと判定された場合はステップＳ８０４へ遷移し、値が０以下であると判定された場合はステップＳ８０５へ遷移する。
ステップＳ８０３において値が０より大きいと判定された場合は、当該室外ユニット１０は効率の悪い運転が行われていると判断できることから、当該室外ユニット１０の目標流量を２％低減する（Ｓ８０４）。
次に、次の室外ユニット１０、すなわちステップＳ８０３の判定が行われていない室外ユニット１０があるか否かの判定が行われる（Ｓ８０６）。次の室外ユニット１０があると判定された場合は、ステップＳ８０３へ遷移する。一方、次の室外ユニット１０が存在しない場合は、処理を終了する。
ステップＳ８０３において、値が０以下であると判定された場合は、当該室外ユニット１０は効率の良い運転が行われていると判断できることから、当該室外ユニット１０の目標流量を２％増加させる（Ｓ８０５）。
【００６８】
ここで、第１パラメータを用いる場合で蒸発温度または圧縮機入口圧力を用いる場合は、ステップＳ８０３における判定の不等号が逆となる。
また、散水流量を制御する場合は、図８の目標流量を散水流量とする。
【００６９】
以上、説明してきたように、本実施形態に係る空気調和装置の制御装置、空気調和装置、空気調和装置の制御方法、及び空気調和装置の制御プログラムによれば、以下の作用効果を奏する。
本実施形態によれば、加熱運転において、室外ユニット１０がデフロスト運転となったか否かを検知し、デフロスト運転の頻度を計測して、各室外ユニット１０のデフロスト運転頻度に基づき各室外ユニット１０の水の目標流量を分配し、これに基づき室外ユニット１０に対応する各ポンプ８０を制御することから、例えば設置環境を起因としてデフロスト運転に入りやすい室外ユニット１０の負荷を減らすため、室外ユニット１０における着霜の進行を遅らせデフロスト運転頻度のばらつきを抑制することができる。これにより、デフロスト運転の頻度を平準化でき、全体のデフロスト回数が低減して効率の良い運転が可能となり、ＣＯＰ（成績係数）が上がり省エネルギー性を高めることができる。
室外ユニット１０の能力は、循環する水の（密度）×（流量）×（比熱）×（温度差）から求められることから、流量を変更することで能力を変更することができる。
【００７０】
また本実施形態によれば、デフロスト運転頻度が高い室外ユニット１０の目標流量を低減することから、デフロスト運転に入りやすい室外ユニット１０の負荷を減らすことができる。これにより、デフロスト運転頻度が高い室外ユニット１０の着霜の進行を遅らせることが可能となる。
【００７１】
また本実施形態によれば、デフロスト運転頻度が高い室外ユニット１０の目標流量の低減分だけ、デフロスト運転頻度が低い他の室外ユニット１０の目標流量を増加させることから、室外ユニット１０全体の目標流量を変更することなく、デフロスト運転頻度のばらつきを抑制することができ、冷温水系統の水温変動を抑制することができる。全体のデフロスト回数が低減するとともに、デフロスト運転頻度が低い、すなわちＣＯＰの高い室外ユニット１０の流量を多くするため、効率の良い運転が可能となり、省エネルギー性を高めることができる。
【００７２】
また本実施形態によれば、空気調和装置１の運転開始後、一の室外ユニット１０において最初にデフロスト運転が開始された時に第１パラメータ検知部５６が検知した各室外ユニット１０の第１パラメータの値に基づき、各室外ユニット１０に対し目標流量を分配することから、全ての室外ユニット１０がデフロスト運転となるのを待たずに、各室外ユニット１０のうち最初の室外ユニット１０がデフロスト運転を開始した時点で第１パラメータを用いて目標流量を分配することができる。これにより、実際の運転状況への対応をより早く行うことができ、デフロスト運転の頻度を減らし、デフロスト運転の頻度を平準化して効率の良い運転が可能となり、ＣＯＰ（成績係数）が上がり省エネルギー性を高めることができる。
【００７３】
また本実施形態によれば、第１パラメータとして、運転電流、ファン入力電流、蒸発温度、または圧縮機入口圧力のいずれかを用いることから、いずれも既設のセンサにより取得可能な値であるため、新たな設備を必要とすることなくデフロスト運転の頻度の平準化を行うことができる。
【００７４】
また本実施形態によれば、冷却運転において、各室外ユニット１０の第２パラメータの値に基づき、各室外ユニット１０に対しそれぞれの目標流量を分配し、これに基づき室外ユニット１０に対応するポンプ８０を制御することから、例えば設置環境を起因として第２パラメータの値にばらつきが生じている場合に効率の悪い室外ユニット１０の負荷を減らすため、室外ユニット１０全体の省エネルギー性を高めることができる。
【００７５】
また本実施形態によれば、第２パラメータの値が大きい室外ユニット１０の目標流量を低減することから、効率の悪い室外ユニット１０の負荷を減らすことができる。これにより、効率の悪い室外ユニット１０の稼働率を低減し、省エネルギー性を高めることが可能となる。
【００７６】
また本実施形態によれば、第２パラメータの値が大きい室外ユニット１０の目標流量の低減分だけ、第２パラメータの値が小さい他の室外ユニット１０の目標流量を増加させることから、室外ユニット１０全体の目標流量を変更することなく、効率のばらつきを抑制することができる。これにより、ＣＯＰの高い室外ユニットの流量を多くするため、効率の良い運転が可能となり、省エネルギー性を高めることができる。
例えば、冷却運転において、複数の室外ユニット１０が集合設置されている場合、中央部に設置されている室外ユニット１０は、外部の新しい空気ではなく自ユニットまたは他のユニットから排出された空気を吸い込みやすいため内部に熱がこもりやすい。そのため、温度が上昇して効率が悪くなる。
これに対して、端に設置されている室外ユニット１０は、外部の新しい空気を吸い込むことができるとともに、放熱しやすい。よって、効率の良い運転が可能であり、能力を出すことができる。
室外ユニット１０の温度上昇は機器寿命に影響を及ぼす可能性があり、中央部に設置されている室外ユニット１０の温度が上昇すると他の室外ユニット１０よりも劣化が進行することが考えられるが、効率のばらつきが抑制されて温度上昇量が抑えられるため、高温による機器寿命への影響についても抑制することができる。
【００７７】
また本実施形態によれば、冷却運転において、各室外ユニット１０の第２パラメータの値に基づき、各室外ユニット１０に備えられた散水器７３の散水流量を分配することから、例えば設置環境を起因として第２パラメータの値にばらつきが生じている場合に効率の悪い室外ユニット１０の散水流量を増やすため、室外ユニット１０全体の省エネルギー性を高めることができる。
【００７８】
また本実施形態によれば、第２パラメータの値が大きい室外ユニット１０の散水流量を増加させることから、効率の悪い室外ユニット１０の散水流量を増加することができる。これにより、効率の悪い室外ユニット１０の冷却を進行させ、省エネルギー性を高めることが可能となる。
【００７９】
また本実施形態によれば、第２パラメータの値が大きい室外ユニット１０の散水流量の増加分だけ、第２パラメータの値が小さい他の室外ユニット１０の散水流量を低減させることから、室外ユニット１０全体の散水流量を変更することなく、各室外ユニット１０の冷却度合のばらつきを抑制することができる。これにより、効率の良い運転が可能となり、省エネルギー性を高めることができる。
【００８０】
また本実施形態によれば、第２パラメータとして、室外ユニット１０に備えられた散水器７３の散水流量を制御する開閉弁７０の開頻度、圧縮機吐出圧力、外気温度、運転電流、または凝縮温度のいずれかを用いることから、いずれも既設のセンサ等により取得可能な値であるため、新たな設備を必要とすることなく省エネルギー性を高めることができる。
【００８１】
以上、本発明の一実施形態について図面を参照して詳述してきたが、具体的な構成はこの実施形態に限られるものではなく、本発明の要旨を逸脱しない範囲の設計変更なども含まれる。
【００８２】
たとえば、上述した実施形態においては毎回目標流量制御または散水流量制御を行うとしたが、制御を行ったうえで各室外ユニット１０毎の目標流量または散水流量を記憶してその値を用いるとしてもよい。
加熱運転の場合は、日によって気象条件（降雪量、風向、風速、天候等）が異なり、それにより室外ユニット１０のデフロスト運転頻度も異なる。よって、気象条件が前日と大きく異ならない場合には、前日のデフロスト運転頻度に基づく目標流量を用いてもよい。
冷却運転の場合は、主に夏季であり、日によって大きな差が発生しない。よって、前日と同じ目標流量を用いてもよいし、夏季の間（期間はユーザが設定可能）は同じ流量を用いてもよい。
【００８３】
また、上述した実施形態においては、目標流量または散水流量の制御を行うとしたが、圧縮機３０の回転数、圧縮機３０の運転電流、室外ファン２７の回転数、または外部負荷の設定温度の制御を行うとしてもよい。制御対象は、上記に限らず、相関する指標であればよい。
【符号の説明】
【００８４】
１  空気調和装置
１０  室外ユニット
２０  空気熱交換器
３０  圧縮機
３５  水熱交換器
５０  制御装置
９０  水配管
【図１】
2018204813.tif 000003
【図２】
2018204813.tif 000004
【図３】
2018204813.tif 000005
【図４】
2018204813.tif 000006
【図５】
2018204813.tif 000007
【図６】
2018204813.tif 000008
【図７】
2018204813.tif 000009
【図８】
2018204813.tif 000010